【事件の表示】
　特願２００８−１３７３００「カメラシステム」拒絶査定不服審判事件〔平成２１年　１月２２日出願公開、特開２００９−　１７５３９〕について、次のとおり審決する。
【結　論】
　本件審判の請求は、成り立たない。
【理　由】
１．手続の経緯
　本願は、平成２０年　５月２６日（優先権主張平成１９年　６月　６日）の出願であって、平成２３年　１月２５日付けで拒絶査定がされ、それを不服として平成２３年　４月２６日に審判請求がされたものである。
　
　
２．本願発明
　本願の請求項８に係る発明（以下、「本願発明」という。）は、平成２２年９月１６日付けの手続補正書によって補正された明細書、特許請求の範囲の記載からみて、特許請求の範囲の請求項８に記載された事項により特定される以下のとおりのものである。
　
「被写体の光学像を形成する撮像光学系と、
　前記光学像を画像信号に変換し前記被写体の画像を取得する撮像部と、
　前記撮像部で取得された複数の前記画像を並べて表示可能な表示部と、
　前記撮像部により取得された第１画像の一部分を第１表示画像として前記表示部に表示させ、前記第１画像とは異なる撮影条件で前記撮像部により取得された第２画像の一部分であって前記第２画像における位置が前記第１画像における前記第１表示画像の位置と同じ部分を、第２表示画像として前記第１表示画像と並べて前記表示部に表示させる表示制御部と、
　前記第１表示画像および前記第２表示画像のうち少なくとも一方の画像を他の画像に切り替えるための切替操作部と、を備え、
　前記表示制御部は、前記第１画像および前記第２画像とは異なる撮影条件で前記撮像部により取得された第３画像の一部分であって前記第３画像における位置が前記第１画像における前記第１表示画像の位置と同じ部分を、前記切替操作部の操作に応じて、前記第１表示画像または前記第２表示画像の代わりに前記表示部に表示させる、
カメラシステム。」
　
　
３．刊行物１の記載
　これに対して、原査定の拒絶の理由（特許法第２９条第２項）で引用された、特開２００６−５６４０号公報（以下「刊行物１」という。）には、図面と共に、次の記載がある。　
（刊行物１の記載）
　
「【０００１】
　本発明は、撮像装置における画像表示技術に関するものである。
　
【発明が解決しようとする課題】
【０００６】
　デジタルカメラで、例えばブラケット撮影や連写撮影を行った後に、撮影画像を詳細に見比べたいという要求がある。しかし従来のデジタルカメラにおける画像表示方式では複数の画像を拡大したり、拡大画面の表示位置を動かしながら比較することは困難であった。
【０００７】
　従って、本発明は上述した課題に鑑みてなされたものであり、その目的は、撮像部と画像表示部とを有する撮像装置において、撮影した類似画像を詳細に見比べることことができるようにすることである。
【０００８】
　上述した課題を解決し、目的を達成するために、本発明に係わる撮像装置は、被写体像を撮像する撮像手段と、該撮像手段から得られた画像信号を表示する画像表示手段と、該画像表示手段に表示された特定の複数の画像のうち、選択された所定数の画像に対して、少なくとも画像の拡大処理又は画像の移動処理を含む複数の処理の中から選択された処理を同時に行なう表示制御手段と、を具備することを特徴とする。
　
【００１０】
　また、この発明に係わる撮像装置において、前記特定の複数の画像とは、ブラケット撮影時において連続して撮影された複数の画像、連写撮影時において連続して撮影された複数の画像、最初の撮影時から予め設定された時間内に撮影された複数の画像のうちのいずれかであることを特徴とする。
【００１１】
　また、この発明に係わる撮像装置において、前記表示制御手段は、前記特定の複数の画像を前記表示手段に表示させるとともに、少なくとも画面中の輝度分布を示すヒストグラム、白飛び範囲のいずれか又は双方を前記表示手段に表示させることを特徴とする。
　
【００１７】
　また、この発明に係わる撮像装置において、前記表示制御手段は、前記表示手段に表示されている複数の画像に連続する次画像の表示の指示を受けた場合に、前記表示手段に既に表示されている複数の画像の拡大倍率及び画像位置を保持したまま、前記次画像を前記表示手段に表示させることを特徴とする。
　
【００２３】
　図１は、本発明の実施形態に係る撮像装置（本実施形態ではデジタルカメラ）の概略構成を示すブロック図である。
【００２４】
　図１において、１００は画像処理装置である。１０は撮影レンズ、１２は絞り機能を備えるシャッター、１４は光学像を電気信号に変換する撮像素子、１２０は撮像素子１４のアナログ信号出力を増幅してカメラの感度を設定するゲインアンプ、１６は撮像素子１４のアナログ信号出力をデジタル信号に変換するＡ／Ｄ変換器である。
【００２５】
　１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。また、撮像した画像データを用いて所定の演算処理を行ない、得られた演算結果に基づいてシステム制御回路５０が露光制御部４０、測距制御部４２に対して制御を行なう、ＴＴＬ（スルー・ザ・レンズ）方式のＡＦ（オートフォーカス）処理、ＡＥ（自動露出）処理、ＥＦ（フラッシュプリ発光）処理を行っている。
　
【００５１】
　以下に、再生モードにおける本実施形態の特徴的な構成について詳細に説明する。
【００５２】
　まず、通常の再生モード時における１画像表示状態を図２に示す。ここで、複数表示指示操作を行うと複数表示状態となる。複数表示状態となった表示装置のイメージを図３に示す。この複数表示指示操作は画像処理装置１００の操作部７０に備えられたある特定のボタンを押下あるいは長押しする操作でもよいし、画像表示部２８のメニュー画面から選択する方法でもよい。
【００５３】
　また、ここでは説明を簡単にするために２画像表示の場合を示すが２画像に限定するものではなく、表示画像数を選択できるようにしてもよい。
【００５４】
　また、表示部中の下方に、操作対象画像選択のための指示表示を示しているが、操作対象画像選択部をトグルに限定するものではない。例えば十字ボタンで指定してセットボタンで選択／解除してもよく、タッチパネルを備えたシステムであればタッチパネルで選択してもよい。
【００５５】
　ここでは一例としてセットボタントグルによる操作対象画像選択を行うが、セットボタンを一度押すと図４に示すように選択画像が切り替わって１画像選択状態となり、この状態では全ての画像操作（拡大、移動など）が、選択された画像に対してのみ行われる。もう一度セットボタンを押すと、今度は図５に示す様にもう一方の画像が選択される。この状態も１画像選択状態である。さらにもう一度セットボタンを押すと、二画像選択状態となる。この複数画像選択状態において、拡大、表示位置移動操作を行ったとき、図６に示すように選択された複数画像が同時に操作される（選択された複数画像全てが同時に拡大、表示位置移動操作される）。拡大した状態で再び１画像選択状態にし、次の画像を表示する操作を行うと、拡大倍率および表示位置が保持されたまま次の画像が表示される。言い換えると、次の画像に対しても既に表示中の画像に対する拡大倍率及び表示位置の設定が適用される。
　
【図面の簡単な説明】
【００７２】
…　略　…
【図３】マルチ画像表示（２画像表示）状態において複数画像を選択した状態を示す図である。
【図４】マルチ画像表示（２画像表示）状態において左側の１画像を選択した状態を示す図である。
【図５】マルチ画像表示（２画像表示）状態において右側の１画像を選択した状態を示す図である。
【図６】マルチ画像表示（２画像表示）状態において複数画像を同時に操作（拡大）した状態を示す図である。」
（刊行物１の記載、以上）
　
　
４．刊行物１に記載された発明（引用発明）
　
　（１）刊行物１に記載された発明の概要（課題・目的）
　上記刊行物１の段落【０００６】〜【０００７】によれば、
「デジタルカメラで、例えばブラケット撮影や連写撮影を行った後に、撮影画像を詳細に見比べたいという要求」があり、「従来のデジタルカメラにおける画像表示方式では複数の画像を拡大したり、拡大画面の表示位置を動かしながら比較することは困難であった」という課題に鑑みて、
「撮像部と画像表示部とを有する撮像装置において、撮影した類似画像を詳細に見比べることことができるようにする」ことを目的としている。
　
　（２）「撮像装置」について
　
　上記刊行物１の段落【０００８】に、
「上述した課題を解決し、目的を達成するために、本発明に係わる撮像装置は、被写体像を撮像する撮像手段と、該撮像手段から得られた画像信号を表示する画像表示手段と、該画像表示手段に表示された特定の複数の画像のうち、選択された所定数の画像に対して、少なくとも画像の拡大処理又は画像の移動処理を含む複数の処理の中から選択された処理を同時に行なう表示制御手段と、を具備することを特徴とする。」とあるから、
　刊行物１には、前記４．（１）に記載の課題を解決し、目的を達成するための「撮像装置」であって、
　「撮像装置は、被写体像を撮像する撮像手段と、該撮像手段から得られた画像信号を表示する画像表示手段と、該画像表示手段に表示された特定の複数の画像のうち、選択された所定数の画像に対して、少なくとも画像の拡大処理又は画像の移動処理を含む複数の処理の中から選択された処理を同時に行なう表示制御手段と、を具備する撮像装置。」が記載されているといえる。
　
　（３）「撮影レンズ１０」、「絞り機能を備えるシャッター１２」、「撮像素子１４」、および、前記撮像素子１４にクロック信号や制御信号を供給する「タイミング発生回路１８」について
　
　上記刊行物１の図１に示される本発明の撮像装置の構成として、
　「図１において、　…略…　１０は撮影レンズ、１２は絞り機能を備えるシャッター、１４は光学像を電気信号に変換する撮像素子」（段落【００２４】）とあり、
　また、「１８は撮像素子１４　…略…　にクロック信号や制御信号を供給するタイミング発生回路であり」（段落【００２５】）とあるから、
　前記撮像装置は、「撮影レンズ（１０）」、「絞り機能を備えるシャッター（１２）」、「撮像素子（１４）」、および、前記撮像素子１４にクロック信号や制御信号を供給する「タイミング発生回路１８」を備えるといえ、これらの構成は上記４．（２）に記載の前記「被写体像を撮像する撮像手段」に含まれる構成であることは明らかである。
　よって、刊行物１に記載の前記撮像装置は、（前記「被写体像を撮像する撮像手段」に含まれる構成であるところの）「撮影レンズ１０」、「絞り機能を備えるシャッター１２」、「撮像素子１４」、および、前記撮像素子１４にクロック信号や制御信号を供給する「タイミング発生回路１８」を備えるといえる。
　
　（４）「特定の複数の画像」について
　
　上記刊行物１の段落【００１０】に、「この発明に係わる撮像装置において、前記特定の複数の画像とは、ブラケット撮影時において連続して撮影された複数の画像、連写撮影時において連続して撮影された複数の画像、最初の撮影時から予め設定された時間内に撮影された複数の画像のうちのいずれかである」とあるから、
　刊行物１に記載の前記撮像装置において、前記「特定の複数の画像」は、「ブラケット撮影時において連続して撮影された複数の画像」であるといえる。
　
　（５）「再生モードにおける２画像表示」について
　
　上記刊行物１の段落【００５１】に、「再生モードにおける本実施形態の特徴的な構成について詳細に説明する。」とあり、
　段落【００５２】〜【００５３】に、「通常の再生モード時における１画像表示状態」（図２）で、「複数表示指示操作を行うと複数表示状態となる」と記載され、
　該「複数表示状態」として、図３の記載と共に、２つの画像が左右に並べて表示される「２画像表示」が示されている。
　また、上記刊行物１の段落【００１１】に、「前記表示制御手段は、前記特定の複数の画像を前記表示手段に表示させる」とあるから、前記「表示制御手段」が前記２つの画像（複数の画像）を左右に並べて表示させるといえる。
　よって、上記刊行物１には、「再生モード」において、「通常の再生モード時における１画像表示状態」で、「複数表示指示操作を行う」と、前記「表示制御手段」が２つの画像を左右に並べて表示させる「２画像表示」となることが記載されている。
　
　（６）「拡大、表示位置移動操作」について
　
　上記刊行物１の段落【００５４】に、「表示部中の下方に、操作対象画像選択のための指示表示を示しているが、操作対象画像選択部をトグルに限定するものではない。」として、「操作対象画像選択部」としての「トグル」が記載され、
　また、段落【００５５】に、「セットボタントグルによる操作対象画像選択を行うが、セットボタンを一度押すと図４に示すように選択画像が切り替わって１画像選択状態となり、この状態では全ての画像操作（拡大、移動など）が、選択された画像に対してのみ行われる。もう一度セットボタンを押すと、今度は図５に示す様にもう一方の画像が選択される。この状態も１画像選択状態である。さらにもう一度セットボタンを押すと、二画像選択状態となる。この複数画像選択状態において、拡大、表示位置移動操作を行ったとき、図６に示すように選択された複数画像が同時に操作される（選択された複数画像全てが同時に拡大、表示位置移動操作される）。」とあるから、
　前記４．（５）に示した前記「再生モード」において、
　前記「操作対象画像選択部」である「トグル」（「セットボタントグル」、「セットボタン」）を、
　「一度押す」と「選択画像が切り替わって１画像選択状態となり、この状態では全ての画像操作（拡大、移動など）が、選択された画像に対してのみ行われ」、
　「もう一度セットボタンを押す」と、「もう一方の画像」が「１画像選択状態」で「選択され」、
　「さらにもう一度セットボタンを押すと、二画像選択状態」となり、
　前記「複数画像選択状態（二画像選択状態）において、拡大、表示位置移動操作を行」うと、「選択された複数画像（二画像）が同時に操作され」、前記「選択された複数画像（二画像）全てが同時に拡大、表示位置移動操作される」といえる。
　
　また、上記刊行物１の段落【００７６】（【図面の簡単な説明】）には
「【図３】マルチ画像表示（２画像表示）状態において複数画像を選択した状態を示す図である。
【図４】マルチ画像表示（２画像表示）状態において左側の１画像を選択した状態を示す図である。
【図５】マルチ画像表示（２画像表示）状態において右側の１画像を選択した状態を示す図である。
【図６】マルチ画像表示（２画像表示）状態において複数画像を同時に操作（拡大）した状態を示す図である。」とあり、
　図３〜５（図面）からは、
　画面内の上下方向中央付近に２つの画像が左右に並んで表示され、前記２つの画像のそれぞれは、同様の構図で、右上部に２個の雲、中央部左から右にかけて山の稜線、左下部に３本の木、が表示された表示画面が見てとれ、
　また、図６（図面）からは、
　（図３〜５と同様に）画面内の上下方向中央付近に２つの画像が左右に並んで表示され、該２つの画像のそれぞれは、同様の構図で、（図３〜５に開示される２つの画像それぞれの左下部に示された３本の木と同様の）３本の木のみが大きく、それぞれの画像の枠いっぱいに表示された表示画面が見てとれ、
　前記図３〜５は、前記「１画像選択状態」および前記「二画像選択状態（複数画像選択状態）」を示す図であり、
　前記図６は、前記「選択された複数画像（二画像）全てが同時に拡大、表示位置移動操作され」た状態を示す図であるから、
　前記１画像選択状態および前記二画像選択状態においては、画面内の上下方向中央付近に２つの画像が左右に並んで表示され、前記２つの画像のそれぞれは、同様の構図で、右上部に２個の雲、中央部左から右にかけて山の稜線、左下部に３本の木、が表示された表示画面が見てとれ、
　前記選択された二画像（複数画像）全てが同時に拡大、表示位置移動操作された状態においては、画面内の上下方向中央付近に２つの画像が左右に並んで表示され、該２つの画像のそれぞれは、同様の構図で、前記１画像選択状態および前記二画像選択状態における前記２つの画像それぞれの左下部に示された３本の木と同様の３本の木のみが大きく、それぞれの画像の枠いっぱいに表示された表示画面が見てとれる。
　
　（７）「次の画像が表示される」ことについて
　
　上記刊行物１の段落【００５５】に、「拡大した状態で再び１画像選択状態にし、次の画像を表示する操作を行うと、拡大倍率および表示位置が保持されたまま次の画像が表示される。言い換えると、次の画像に対しても既に表示中の画像に対する拡大倍率及び表示位置の設定が適用される。」とあり、
　上記刊行物１の段落【００１７】に、「前記表示制御手段は、前記表示手段に表示されている複数の画像に連続する次画像の表示の指示を受けた場合に、前記表示手段に既に表示されている複数の画像の拡大倍率及び画像位置を保持したまま、前記次画像を前記表示手段に表示させる」とあるから、
　前記４．（５）に示した前記「再生モード」において、
　前記「拡大した状態で再び１画像選択状態にし、次の画像を表示する操作を行うと」、「既に表示中の画像に対する拡大倍率及び表示位置の設定が適用され」、前記「表示制御手段」は、「拡大倍率および表示位置を保持したまま」「次の画像」を「表示させる」といえる。
　
　（８）まとめ（「引用発明」認定）
　上記４．（１）ないし（７）によれば、刊行物１に記載された発明（以下、「引用発明」という。）として、以下のとおりのものを認定することができる。　
　　
「デジタルカメラで、例えばブラケット撮影や連写撮影を行った後に、撮影画像を詳細に見比べたいという要求があり、従来のデジタルカメラにおける画像表示方式では複数の画像を拡大したり、拡大画面の表示位置を動かしながら比較することは困難であったという課題を解決し、
　撮像部と画像表示部とを有する撮像装置において、撮影した類似画像を詳細に見比べることことができるようにする目的を達成するための撮像装置であって、
　前記撮像装置は、被写体像を撮像する撮像手段と、該撮像手段から得られた画像信号を表示する画像表示手段と、該画像表示手段に表示された特定の複数の画像のうち、選択された所定数の画像に対して、少なくとも画像の拡大処理又は画像の移動処理を含む複数の処理の中から選択された処理を同時に行なう表示制御手段と、を具備し、
　（前記被写体像を撮像する撮像手段に含まれる構成であるところの）撮影レンズ１０、絞り機能を備えるシャッター１２、撮像素子１４、および、前記撮像素子１４にクロック信号や制御信号を供給するタイミング発生回路１８を備え、
　前記特定の複数の画像は、ブラケット撮影時において連続して撮影された複数の画像であり、
　再生モードにおいて、通常の再生モード時における１画像表示状態で、複数表示指示操作を行うと、前記表示制御手段が２つの画像を左右に並べて表示させる２画像表示となり、
　前記再生モードにおいて、
　操作対象画像選択部であるセットボタン（トグル、セットボタントグル）を、
　一度押すと選択画像が切り替わって１画像選択状態となり、この状態では全ての画像操作（拡大、移動など）が、選択された画像に対してのみ行われ、
　もう一度前記セットボタンを押すと、もう一方の画像が１画像選択状態で選択され、
　さらにもう一度前記セットボタンを押すと、二画像選択状態となり、
　前記二画像選択状態において、拡大、表示位置移動操作を行うと、選択された二画像が同時に操作され、前記選択された二画像全てが同時に拡大、表示位置移動操作され、
　前記１画像選択状態および前記二画像選択状態においては、画面内の上下方向中央付近に２つの画像が左右に並んで表示され、前記２つの画像のそれぞれは、同様の構図で、右上部に２個の雲、中央部左から右にかけて山の稜線、左下部に３本の木、が表示され、
　前記選択された二画像全てが同時に拡大、表示位置移動操作された状態においては、画面内の上下方向中央付近に２つの画像が左右に並んで表示され、該２つの画像のそれぞれは、同様の構図で、前記１画像選択状態および前記二画像選択状態における前記２つの画像それぞれの左下部に示された３本の木と同様の３本の木のみが大きく、それぞれの画像の枠いっぱいに表示され、
　前記拡大した状態で再び１画像選択状態にし、次の画像を表示する操作を行うと、既に表示中の画像に対する拡大倍率及び表示位置の設定が適用され、前記表示制御手段は、拡大倍率および表示位置を保持したまま次の画像を表示させる
　撮像装置。」
　
　
５．対比
　本願発明と引用発明とを対比する。　
　　
　（１）「カメラシステム」について
　
　引用発明の「撮像装置」は、撮像手段で被写体像を撮像して、得られた画像信号を画像表示手段に表示する装置であって、本願発明の「カメラシステム」に対応するといえる。
　
　（２）「被写体の光学像を形成する撮像光学系」について
　
　引用発明の「撮像装置」が備える前記撮像手段は、「撮影レンズ１０」、「絞り機能を備えるシャッター１２」を含むものであって、これらの構成（「撮影レンズ１０」、「絞り機能を備えるシャッター１２」）は、被写体の光学像を形成するための光学系の構成であることは明らかであるから、本願発明の「被写体の光学像を形成する撮像光学系」と一致する。
　よって、引用発明は本願発明と、「被写体の光学像を形成する撮像光学系」を備える点で一致する。
　
　（３）「前記光学像を画像信号に変換し前記被写体の画像を取得する撮像部」について　
　引用発明の前記「撮像装置」が備える前記撮像手段は、「撮像素子１４」および前記撮像素子１４にクロック信号や制御信号を供給する「タイミング発生回路１８」を含むものであって、
　前記「撮像素子１４」および前記「タイミング発生回路１８」は、前記５．（２）に示した「撮影レンズ１０」、前記「絞り機能を備えるシャッター１２」を介して得られる被写体の光学像を画像信号に変換して、前記被写体の画像を取得するための構成であることは明らかであるから、
　引用発明の前記「撮像装置」は、「前記光学像を画像信号に変換し前記被写体の画像を取得する撮像部」を備えるといえ、この点で本願発明と一致する。
　
　（４）「前記撮像部で取得された複数の前記画像を並べて表示可能な表示部」について
　
　引用発明の前記「撮像装置」は、「撮像手段から得られた画像信号を表示する画像表示手段」を備えており、該「画像表示手段」は「特定の複数の画像」を表示するものであって、「２画像表示」のときに「２つの画像が左右に並べて表示され」るものであるから、
　引用発明は、前記撮像部（撮像手段）で取得された複数（２つ）の画像を（左右に）並べて表示可能な表示部（画像表示手段）を備える点で本願発明と一致する。
　
　（５）「前記撮像部により取得された第１画像の一部分を第１表示画像として前記表示部に表示させ、前記第１画像とは異なる撮影条件で前記撮像部により取得された第２画像の一部分であって前記第２画像における位置が前記第１画像における前記第１表示画像の位置と同じ部分を、第２表示画像として前記第１表示画像と並べて前記表示部に表示させる表示制御部」について
　
　引用発明の前記「撮像装置」は、「画像表示手段に表示された特定の複数の画像のうち、選択された所定数の画像に対して、少なくとも画像の拡大処理又は画像の移動処理を含む複数の処理の中から選択された処理を同時に行なう表示制御手段」を備えており、
　引用発明の前記「再生モード」において「複数表示指示操作」を行って、「前記表示制御手段が２つの画像を左右に並べて表示させる２画像表示」とし、さらに「セットボタン」を複数回押すことで「二画像選択状態」として、「拡大、表示位置移動操作を行う」ことによって、「選択された二画像が同時に操作され、前記選択された二画像全てが同時に拡大、表示位置移動操作され」る。
　
　（「拡大、表示位置移動操作を行う」前の）前記「二画像選択状態」においては、画面内の上下方向中央付近に２つの画像が左右に並んで表示され、前記２つの画像のそれぞれは、同様の構図で、右上部に２個の雲、中央部左から右にかけて山の稜線、左下部に３本の木、が表示されており、
　前記「選択された二画像全てが同時に拡大、表示位置移動操作され」た状態においては、画面内の上下方向中央付近に２つの画像が左右に並んで表示され、該２つの画像のそれぞれは、同様の構図で、前記「二画像選択状態」における前記２つの画像のそれぞれの左下部に示された３本の木と同様の３本の木のみが大きく、それぞれの画像の枠いっぱいに表示されているから、
　前記「拡大、表示位置移動操作され」た状態で、前記画像表示手段に並べて表示される２つの画像は、
　前記「拡大、表示位置移動操作を行う」前の２つの画像それぞれの一部分（左下部の３本の木の部分）を拡大したものといえ、
　また、前記「拡大、表示位置移動操作を行う」前の２つの画像に対して「同時に拡大、表示位置移動操作され」たものであるから、「拡大、表示位置移動操作を行う」前の画像における同じ位置の同じ部分の画像といえる。
　
　よって、
　前記「選択された二画像が同時に操作され、前記選択された二画像全てが同時に拡大、表示位置移動操作され」た状態で、前記画像表示手段に並べて表示される２つの画像は、
　前記２つの画像のうちの一方の画像（本願発明でいう第１画像）の（拡大、表示位置移動操作された）一部分（本願発明でいう第１表示画像）と、
　前記２つの画像のうちの他方の画像（本願発明でいう第２画像）の一部分であって、前記他方の画像（第２画像）における位置が前記一方の画像（第１画像）の前記一部分（第１表示画像）の位置と同じ部分（本願発明でいう第２表示画像）といい得る。
　
　そして、前記第１画像および前記第２画像は、画像表示手段に表示された「特定の複数の画像」であり、前記５．（４）に示した前記撮像部（撮像手段）で取得された画像であって、かつ、「ブラケット撮影時において連続して撮影された複数の画像」といえる。
　
　よって、引用発明は本願発明と、
　前記撮像部により取得された第１画像の一部分を第１表示画像として前記表示部に表示させ、前記撮像部により取得された第２画像の一部分であって前記第２画像における位置が前記第１画像における前記第１表示画像の位置と同じ部分を、第２表示画像として前記第１表示画像と並べて前記表示部に表示させる表示制御部
　を備える点で一致しているといえる。
　しかし、前記第２画像が、
　本願発明においては、前記第１画像とは異なる撮影条件で前記撮像部により取得された画像であるのに対し、
　引用発明においては、ブラケット撮影時において連続して撮影された複数の画像のうちの前記第１画像とは異なる画像であって、前記第１画像とは異なる撮影条件で前記撮像部により取得された画像とはしていない点で相違する。
　
　（６）「前記第１表示画像および前記第２表示画像のうち少なくとも一方の画像を他の画像に切り替えるための切替操作部」について
　
　引用発明の前記「撮像装置」においては、「前記拡大した状態で再び１画像選択状態にし、次の画像を表示する操作を行う」ことができるから、前記「１画像選択状態」において、「次の画像を表示する操作」を行うための操作部を備えているといえる。
　
　前記操作部は、拡大した状態で表示されている前記第１表示画像および前記第２表示画像のうちの一方の画像を（引用発明の前記セットボタンにより）「１画像選択」した状態において、「次の画像を表示する」ために操作されるものであって、その操作がされることにより、選択した一方の画像が前記「次の画像」に置き換えられて（切り替えられて）表示されるといえ、
　前記操作部は前記「１画像選択」した「一方の画像」を前記「次の画像」（他の画像）に切り替えるための操作部（切替操作部）といえる。
　
　よって、引用発明の前記「撮像装置」は、
　前記第１表示画像および前記第２表示画像のうちの少なくとも一方の画像を他の画像（前記第１画像および前記第２画像の次の画像）に切り替えるための切替操作部を備えるといえ、この点で本願発明と一致する。
　
　（７）「前記表示制御部は、前記第１画像および前記第２画像とは異なる撮影条件で前記撮像部により取得された第３画像の一部分であって前記第３画像における位置が前記第１画像における前記第１表示画像の位置と同じ部分を、前記切替操作部の操作に応じて、前記第１表示画像または前記第２表示画像の代わりに前記表示部に表示させる」について
　
　引用発明の前記「撮像装置」においては、
　前記５．（６）に示した「前記拡大した状態で再び１画像選択状態にし、次の画像を表示する操作」を行うと、
　「既に表示中の画像に対する拡大倍率及び表示位置の設定が適用され、前記表示制御手段は、拡大倍率および表示位置を保持したまま次の画像を表示させる」ものである。
　
　そして、前記５．（６）に記載した前記「次の画像」は、「ブラケット撮影時において連続して撮影された（撮影部により取得された）複数の画像」のうちの、前記第１画像および前記第２画像とは異なる第３画像に対して、既に表示中の画像に対する拡大倍率及び表示位置の設定が適用された画像（第３表示画像）である。
　
　そして、前記表示制御手段は、拡大した状態で表示されている前記第１表示画像および前記第２表示画像のうちの一方の画像を、前記操作部（切替操作部）の操作に応じて、前記一方の画像の代わりに、前記「次の画像」（第３表示画像）に切り替えて表示させるものである。
　
　そして、前記「次の画像」（第３表示画像）は、
　既に表示中の画像に対する拡大倍率及び表示位置の設定が適用された（拡大倍率および表示位置が保持されたままの）画像であるから、前記５．（５）に示した第２表示画像と同様、
　前記第３画像の一部分であって、前記第３画像における位置が前記第１画像の一部分（第１表示画像）の位置と同じ部分の画像といえる。
　
　してみると、引用発明は、本願発明と、
　前記表示制御手段は、前記撮像部により取得された第３画像の一部分であって前記第３画像における位置が前記第１画像における前記第１表示画像の位置と同じ部分を、前記切替操作部の操作に応じて、前記第１表示画像または前記第２表示画像の代わりに前記表示部に表示させる」
点で一致し、
　前記第３画像が、
　本願発明においては、前記第１画像および前記第２画像とは異なる撮影条件で前記撮像部により取得された画像であるのに対し、
　引用発明においては、ブラケット撮影時において連続して撮影された複数の画像のうちの前記第１の画像および第２の画像とは異なる画像であって、前記第１画像および前記第２画像とは異なる撮影条件で前記撮像部により取得された画像とはしていない点で相違する。
　
　
６．一致点、相違点 
　　
　以上の対比によれば、本件補正発明と引用発明とは、以下の一致点で一致し、相違点で相違する。　
　　
《一致点》　
　被写体の光学像を形成する撮像光学系と、
　前記光学像を画像信号に変換し前記被写体の画像を取得する撮像部と、
　前記撮像部で取得された複数の前記画像を並べて表示可能な表示部と、
　前記撮像部により取得された第１画像の一部分を第１表示画像として前記表示部に表示させ、前記撮像部により取得された第２画像の一部分であって前記第２画像における位置が前記第１画像における前記第１表示画像の位置と同じ部分を、第２表示画像として前記第１表示画像と並べて前記表示部に表示させる表示制御部と、
　前記第１表示画像および前記第２表示画像のうち少なくとも一方の画像を他の画像に切り替えるための切替操作部と、を備え、
　前記表示制御部は、前記撮像部により取得された第３画像の一部分であって前記第３画像における位置が前記第１画像における前記第１表示画像の位置と同じ部分を、前記切替操作部の操作に応じて、前記第１表示画像または前記第２表示画像の代わりに前記表示部に表示させる、
カメラシステム。
　　
《相違点》　
　相違点１
　前記第２画像が、
　本願発明においては、前記第１画像とは異なる撮影条件で前記撮像部により取得された画像であるのに対し、
　引用発明においては、ブラケット撮影時において連続して撮影された複数の画像のうちの前記第１画像とは異なる画像であって、前記第１画像とは異なる撮影条件で前記撮像部により取得された画像とはしていない点
　
　相違点２
　前記第３画像が、
　本願発明においては、前記第１画像および前記第２画像とは異なる撮影条件で前記撮像部により取得された画像であるのに対し、
　引用発明においては、ブラケット撮影時において連続して撮影された複数の画像のうちの前記第１の画像および第２の画像とは異なる画像であって、前記第１画像および前記第２画像とは異なる撮影条件で前記撮像部により取得された画像とはしていない点
　
　前記相違点１，２は、要するに、
　前記第１画像、前記第２画像、および、前記第３画像が、
　本願発明においては、それぞれ異なる撮影条件で前記撮像部により取得された画像であるのに対し、
　引用発明では、ブラケット撮影時において連続して撮影された複数の画像のうちの、それぞれ異なる画像であって、それぞれ異なる撮影条件で前記撮像部により取得された画像とはしていない点
　で相違するといえ、この（要するにとした）相違点について、下記７．判断で検討する。
　
　
７．判断
　上記（要するにとした）相違点について検討する。　
　
　デジタルカメラなどの撮像装置の技術分野において、ブラケット撮影は当業者に広く知られている周知の技術であって、前記周知の技術であるブラケット撮影として、露出や絞り値などの撮影条件を変えて複数枚の画像を撮影する技術もまた、具体例を挙げるまでもなく、当業者に広く知られていて、周知の技術であるから、
　引用発明におけるブラケット撮影として、前記周知の技術である、撮影条件を変えて複数枚の画像を撮影する技術を採用し、
　引用発明における、ブラケット撮影時において連続して撮影された複数の画像を、
　撮影条件を変えて（異なる撮影条件で）撮影された（撮像部により取得された）複数枚の画像とすることは、当業者であれば容易になし得たことである。
　
　
８．効果 
　以上のように、上記相違点は、刊行物１に記載された発明および周知の技術に基づいて当業者が容易になし得たものと認められ、本願発明全体としてみても格別のものはなく、その作用効果も、上記構成の採用に伴って当然に予測される程度のものにすぎず、格別顕著なものがあるとは認められない。　
　
　
９．まとめ（査定の検討）　
　したがって、本願発明は、刊行物１に記載された発明および周知の技術に基づいて当業者が容易に発明をすることができたものである。　
　　
　　
１０．むすび
　以上のとおり、本願の請求項８に係る発明は、刊行物１に記載された発明および周知の技術に基づいて当業者が容易に発明をすることができたものであるから、特許法第２９条第２項の規定により特許を受けることができない。　
　したがって、本願は、残る請求項１ないし７，９ないし１４に係る発明について検討するまでもなく、拒絶をすべきものである。　
　よって、結論のとおり審決する。